(57)【要約】【課題】磁気回路部をフレームに対して強固に固定することで、磁気回路部の振動を抑制して音質を向上させることができるスピーカ装置を得る。【解決手段】プレート１２、マグネット１１及びヨーク１３を含む磁気回路部１５と、磁気回路部１５の磁気ギャップｇに配置されたボイスコイル２０と、ボイスコイル２０に結合された状態で振動可能な振動板１７と、振動板１７とフレーム３０との間に設けられフレーム３０に対して振動板１７を振動可能に支持するダンパ１８とを備えたスピーカ装置において、フレーム３０に固定されてダンパ１８を支持するダンパホルダ４０を有し、磁気回路部１５は、ダンパホルダ４０とフレーム３０との間で狭持されている。【選択図】        図１
2007088911.tif 000002
【特許請求の範囲】
【請求項１】
プレート、マグネット及びヨークを含む磁気回路部と、前記磁気回路部の磁気ギャップに配置されたボイスコイルと、前記ボイスコイルに結合された状態で振動可能な振動板と、前記振動板とフレームとの間に設けられ前記フレームに対して前記振動板を振動可能に支持するダンパとを備えたスピーカ装置において、
前記フレームに固定されて前記ダンパを支持するダンパホルダを有し、前記磁気回路部は、前記ダンパホルダと前記フレームとの間で狭持されている
ことを特徴とするスピーカ装置。
【請求項２】
前記ダンパホルダは、前記プレートに締着される磁気回路固定部と、前記フレームに締着されるフレーム固定部とを有している
ことを特徴とする請求項１に記載のスピーカ装置。
【請求項３】
前記ヨークは、前記フレームに締着されている
ことを特徴とする請求項１または２に記載のスピーカ装置。
【請求項４】
前記ダンパホルダは、環状の前記磁気回路固定部と、該磁気回路固定部より大きな直径で同軸に配設された環状のダンパ支持部と、前記磁気回路固定部と前記ダンパ支持部とを連結する周方向に所定の間隔で設けられた複数の腕部とを有している
ことを特徴とする請求項１から３のいずれか１項に記載のスピーカ装置。
【請求項５】
前記ダンパホルダの前記フレーム固定部は、前記腕部に設けられている
ことを特徴とする請求項４に記載のスピーカ装置。
【請求項６】
前記ダンパホルダの前記フレーム固定部より外側の前記ダンパ支持部に至る部分においては、前記フレームと接触しないように、前記フレームとの間に隙間が設けられている
ことを特徴とする請求項４または５に記載のスピーカ装置。
【請求項７】
前記フレームをスピーカ取付位置に固定するための固定部の数と、前記フレーム固定部との数が異なる
ことを特徴とする請求項２から６のいずれか１項に記載のスピーカ装置。
【請求項８】
前記磁気回路固定部の前記プレートに対向する磁気回路固定面に、接着剤逃がし溝が設けられている
ことを特徴とする請求項２から７のいずれか１項に記載のスピーカ装置。
【発明の詳細な説明】
【技術分野】
【０００１】
本発明は、家庭用や車載用として用いられるスピーカ装置に関するものであり、特に、プレート、マグネット及びヨーク等からなる磁気回路部を有するスピーカ装置に関するものである。
【背景技術】
【０００２】
スピーカ装置においては、通常、フレームに対して振動板を振動可能に支持するために、フレームと振動板との間にダンパが配設されている。一般に、ダンパの内周縁はボイスコイルに接続され、外周縁はフレームに固定されている。このため、従来、ダンパの共振やフレームの共振がダンパを伝わってボイスコイルに戻ってくる。これにより、遅れて歪んだ音が振動板に伝わり音質を損ねるという問題が生じていた。
【０００３】
これに対して、従来、ダンパホルダとフレームとの接続に関して、ダンパホルダまたはフレームのいずれか一方に３個以上の凸部を設け、この凸部を介して両者を点接触させる提案がされている（例えば、特許文献１参照）。
【０００４】
【特許文献１】特開２００４−１８７２３２号公報
【発明の開示】
【発明が解決しようとする課題】
【０００５】
しかしながら、上記特許文献１に記載のスピーカ装置のような構造においては、磁気回路部の上部は、この場所に取り付けられたダンパホルダとともに事実上自由端となっている。つまり、磁気回路部の上部端は、そこに取り付けられたダンパホルダとともに、フレームに対して固定されておらず、固定されているのは、磁気回路部の基部であるヨークがフレームの底面上に固定されているのみである。そのため、磁気回路部がスピーカ装置の所定の周波数にて共振した場合には、その振幅が非常に大きくなる。つまり、大きな振動が生じる。この振動は、ダンパホルダ及びダンパを介して振動板に伝わるので、音質を損ねるという問題が生じていた。
【０００６】
この発明は上述のような課題を解決するためになされたもので、磁気回路部をフレームに対して強固に固定することで、磁気回路部の振幅の大きな振動を抑制して音質を向上させることができるスピーカ装置を得ることを目的とする。
【課題を解決するための手段】
【０００７】
上述した課題を解決し、目的を達成するために、本発明にかかるスピーカ装置は、プレート、マグネット及びヨークを含む磁気回路部と、磁気回路部の磁気ギャップに配置されたボイスコイルと、ボイスコイルに結合された状態で振動可能な振動板と、振動板とフレームとの間に設けられフレームに対して振動板を振動可能に支持するダンパと、フレームに固定されてダンパを支持するダンパホルダとを有しており、磁気回路部は、ダンパホルダとフレームとの間で狭持されている。
【発明を実施するための最良の形態】
【０００８】
以下に、本発明にかかるスピーカ装置の実施の形態を詳細に説明する。なお、この実施の形態によりこの発明が限定されるものではない。以下では、本発明のスピーカ装置の概略と特徴を実施の形態として説明し、その後にスピーカ装置に関する実施例を説明する。
【０００９】
［実施の形態１］
実施の形態１のスピーカ装置は、プレート、マグネット及びヨークを含む磁気回路部と、磁気回路部の磁気ギャップに配置されたボイスコイルと、ボイスコイルに結合された状態で振動可能な振動板と、振動板とフレームとの間に設けられフレームに対して振動板を振動可能に支持するダンパとを有している。スピーカ装置は、さらに、ダンパの外周縁をフレームから支持するためのダンパホルダを有している。このダンパホルダは、フレームに固定されて設けられており、ダンパの外周縁を固定しているとともに、フレームとともに磁気回路部の軸方向両端部を狭持している。
【００１０】
このように構成された本実施の形態のスピーカ装置によれば、磁気回路部の軸方向両端部を狭持してフレームに対して強固に固定することで、磁気回路部の振動を抑制して音質を向上させることができる。
【００１１】
［実施の形態２］
実施の形態２のスピーカ装置は、実施の形態１のスピーカ装置の構成に加えて、ダンパホルダは、プレートに締着される磁気回路固定部と、プレートに締着されるフレーム固定部とを有している。
【００１２】
このように構成された本実施の形態のスピーカ装置によれば、ダンパホルダはプレートに締着されてプレートに強固に固定され、また、フレームに締着されてフレームに強固に固定されるので、磁気回路部をフレームに対してさらに強固に固定することで、磁気回路部の振動をさらに抑制してさらに音質を向上させることができる。
【００１３】
［実施の形態３］
実施の形態３のスピーカ装置は、実施の形態２のスピーカ装置の構成に加えて、磁気回路部を構成している構成要素の一つであるヨークが、フレームに締着されている。
【００１４】
このように構成された本実施の形態のスピーカ装置によれば、磁気回路部の基部であるヨークがフレームに対してさらに強固に固定されるので、磁気回路部の振動がさらに抑制されてさらに音質を向上させることができる。
【００１５】
［実施の形態４］
実施の形態４のスピーカ装置は、実施の形態３のスピーカ装置の構成に加えて、ダンパホルダが、環状の磁気回路固定部と、磁気回路固定部より大きな直径で同軸に配設された環状のダンパ支持部と、磁気回路固定部とダンパ支持部とを連結する周方向に所定の間隔で設けられた複数の腕部とを有している。
【００１６】
このように構成された本実施の形態のスピーカ装置によれば、磁気回路固定部とダンパ支持部とが、複数の腕によって連結されている。つまり、磁気回路固定部とダンパ支持部との間の腕以外の部分は材料が削除されて空洞とされている。これにより、軽量化を図ることができる。
【００１７】
［実施の形態５］
実施の形態５のスピーカ装置は、実施の形態４のスピーカ装置の構成に加えて、ダンパホルダのフレーム固定部は、腕部に設けられている。
【００１８】
このように構成された本実施の形態のスピーカ装置によれば、磁気回路固定部やダンパ支持部と違い全周にわたって設ける必要のないフレーム固定部が、腕部に設けられており、軽量化とコンパクト化が図られている。
【００１９】
［実施の形態６］
実施の形態６のスピーカ装置は、実施の形態５のスピーカ装置の構成に加えて、ダンパホルダのフレーム固定部より外側のダンパ支持部に至る部分は、この部分が、フレームと接触しないように、フレームとの間に隙間が設けられている。
【００２０】
このように構成された本実施の形態のスピーカ装置によれば、ダンパホルダとフレームとの接触部を極力小さくして特に外径方向のダンパ支持部側においてフレームとの間に隙間を形成することにより、ダンパホルダの共振やフレームの共振がダンパを伝わってボイスコイルに戻り音質を損ねることを抑制することができる。
【００２１】
［実施の形態７］
実施の形態７のスピーカ装置は、実施の形態６のスピーカ装置の構成に加えて、フレームをスピーカ取付位置に固定するための固定部の数と、フレーム固定部との数が異なる。
【００２２】
このように構成された本実施の形態のスピーカ装置によれば、ダンパホルダとフレームとを固有振動数を異なるものとして共振しづらくすることができ、音質の向上を図ることができる。
【００２３】
［実施の形態８］
実施の形態８のスピーカ装置は、実施の形態７のスピーカ装置の構成に加えて、磁気回路固定部のプレートに対向する磁気回路固定面に、接着剤逃がし溝が設けられている。
【００２４】
このように構成された本実施の形態のスピーカ装置によれば、余分な量の接着剤が接着剤逃がし溝に逃げ、ダンパホルダの磁気回路固定面とプレートの主面とが密着した状態で接着される。これにより、磁気回路部がフレームに対してさらに強固に固定されるので、磁気回路部の振動がさらに抑制されてさらに音質を向上させることができる。
【実施例】
【００２５】
以下に、本発明にかかる実施例を図面に基づいて詳細に説明する。
図１は実施例のスピーカ装置の横断面図である。図２は実施例のスピーカ装置の裏面図（スピーカ装置の音響の放射方向と反対側から見た図）である。なお、図１は図２のＩ−Ｉ線に沿う矢視断面図である。図１及び図２において、スピーカ装置１０は、コーン型振動板（振動板）１７、およびボイスコイル２０からなる振動系と、ヨーク１３、センターポール１４、マグネット１１およびトッププレート（プレート）１２からなり磁気回路部１５を構成する磁気回路系とを有している。ボイスコイル２０は、さらにボビン２１と巻線２２とから構成されている。スピーカ装置１０の最外周部を覆うように概略円錐台状のフレーム３０が設けられ、上記振動系及び磁気回路系を収納している。なお、マグネット１１は、直流電源により励磁されるものであってもよいし、永久磁石を用いたものであってもよい。
【００２６】
薄板リング状のマグネット１１の前面側に、鉄などの磁性材料からなる薄板リング状のトッププレート１２が重ねられている。一方、マグネット１１の背面側に、同じく鉄などの磁性材料からなる概略円板状のヨーク１３が配設されている。そして、ヨーク１３の前面中央部に、ヨーク１３と一体化された中空円筒状のセンターポール１４が配設されている。そして、センターポール１４の外周面とトッププレート１２の内周面との間に、磁気ギャップｇが形成されている。プレート１２の前方側（スピーカ装置の音響の放射方向）には、概略円還状のダンパホルダ４０が設けられている。
【００２７】
センターポール１４の前方側には、概略ラッパ型の振動板１７が大径部を前方に向けて配設されている。また、振動板１７の中央孔に概略円筒状のボイスコイル２０が振動板１７と中心軸を一致させて接続されている。このボイスコイル２０は、弾性を有するダンパ１８によってダンパホルダ４０から支持されて、軸方向に進退動可能とされている。振動板１７は円錐形の大径部側の円周縁部をフレーム３０の外周縁部に固定されて、円錐形の小径部側をボイスコイル２０に接続されて支持されている。ボイスコイル２０のボビン２１の外周面に巻線２２が巻回され、ボイスコイル２０は、巻線２２が磁気ギャップｇ内の所定位置に位置するように配置されている。
【００２８】
図３はダンパホルダ４０の横断面図である。図４はダンパホルダ４０の裏面図（プレート１２側から見た図）である。図５はダンパホルダ４０の断面部分を拡大して示す図である。ダンパホルダ４０は、概略円環状の磁気回路固定部４１と、当該磁気回路固定部４１の外周縁に円周に沿って等間隔に設けられ放射状に延びる複数（本実施例においては５本）の腕部（フレーム固定部）４２と、各腕部４２の先端に接続され磁気回路固定部４１に対して同軸状に設けられた概略円環状のダンパ支持部４３と、磁気回路固定部４１の外周縁の腕部４２が設けられていない部分から下方に向かって磁気回路部１５を覆うように延びるスカート部４４とから構成されている。
【００２９】
ダンパホルダ４０の内側に位置する磁気回路固定部４１には、円周に沿って複数箇所（５本の腕部４２に対応した５箇所）にねじ穴４１ａが形成されている。また、磁気回路固定部４１のプレート１２に対向（密着）する磁気回路固定面４１ｃには、隣り合うねじ穴４１ａ間に、円弧状の接着剤逃がし溝４１ｄが凹設されている。ダンパホルダ４０の中間部に位置する５本の腕部（フレーム固定部）４２には、それぞれねじ穴４２ａが穿孔されている。
【００３０】
図１に戻り、磁気回路部１５の外周側を構成するヨーク１３、マグネット１１およびトッププレート１２は、相互の主面に塗布された接着剤にて一体的に固着されている。磁気回路部１５は、ダンパホルダ４０とフレーム３０の底面３１との間に挟持された構造とされている。ダンパホルダ４０は、磁気回路固定部４１に穿孔されたねじ穴４１ａを貫通する固定ねじ４７によってトッププレート１２に締着され、磁気回路固定面４１ｃとプレート１２の主面との間に含浸された接着剤にて接着され、トッププレート１２に対して強固に固定されている。一方、ダンパホルダ４０は、５本の腕部（フレーム固定部）４２にそれぞれ穿孔されたねじ穴４２ａを貫通する固定ねじ４８によってフレーム３０に強固に締着されている。さらに、磁気回路部１５の基部側において、ヨーク１３は、フレーム３０の底面３１に穿孔されたねじ穴をそれぞれ貫通する固定ねじ４９によってフレーム３０に強固に締着されている。そして、ダンパホルダ４０のフレーム固定部（腕部）４２より外側のダンパ支持部４３に至る部分は、この部分が、フレーム３０と接触しないように、フレーム３０との間に隙間Ｂが設けられている。ダンパ支持部４３には、ダンパ１８の外周縁が固定されている。
【００３１】
動作を説明する。ヨーク１３、センターポール１４、マグネット１１およびトッププレート１２からなる磁気回路部１５は、図１に示すような磁束Ａを形成する。この磁束Ａは、磁気ギャップｇ内に軸方向に直交する方向の均一な磁界を発生させる。上記のように、巻線２２は、磁気ギャップｇに配置されており、磁束Ａが発生する磁界中にある。巻線２２に音声電流が流れると、この音声電流と磁界との電磁作用により軸方向に振幅振動する。そして、この振幅振動が振動板１７に伝達され、振動板１７が振るえることにより、音響が放射される。
【００３２】
本実施例のスピーカ装置１０においては、磁気回路部１５をフレームに対して強固に固定（狭持）することで、磁気回路部１５の振動を抑制して音質を向上させることができる。また、ダンパホルダ４０が、プレート１２に締着されてプレート１２に強固に固定されるとともに、フレーム３０に締着されてフレーム３０に強固に固定されており、さらに、ヨーク１３が、フレーム３０に締着されてフレーム３０に強固に固定されているので、磁気回路部１５をフレーム３０に対してさらに強固に固定（狭持）することで、磁気回路部１５の振動をさらに抑制してさらに音質を向上させることができる。
【００３３】
また、ダンパホルダ４０が、環状の磁気回路固定部４１と、磁気回路固定部４１より大きな直径で同軸に配設された環状のダンパ支持部４３と、磁気回路固定部４１とダンパ支持部４３とを連結する周方向に所定の間隔で設けられそれぞれ放射状に延びる複数の腕部４２とからなり、磁気回路固定部４１とダンパ支持部４２との間の部分の腕４２以外の部分は空洞とされているので、軽量化を図ることができる。さらに、磁気回路固定部４１やダンパ支持部４３と違い全周にわたって設ける必要のないフレーム固定部が、腕部４２に設けられているので、軽量化とコンパクト化を図ることができる。
【００３４】
また、ダンパホルダ４０のフレーム固定部（腕部）４２より外側のダンパ支持部４３に至る部分は、フレーム３０と接触しないように、フレーム３０との間に隙間Ｂが設けられているので、ダンパホルダ４０とフレーム３０との接触部を極力小さくして、ダンパホルダ４０の共振やフレーム３０の共振がダンパ１８を伝わってボイスコイル２０に戻り音質を損ねることを抑制することができる。
【００３５】
また、磁気回路固定部４１のプレート１２に対向する磁気回路固定面４１ｃに、接着剤逃がし溝４１ｄが設けられている。そのため、接着に不要な余分な量の接着剤が、この接着剤逃がし溝４１ｄに逃げ、ダンパホルダ４０の磁気回路固定面４１ｃとプレート１２の主面とが密着した状態で接着され、磁気回路部１５がフレーム３０に対してさらに強固に固定されるので、磁気回路部１５の振動がさらに抑制されてさらに音質を向上させることができる。
【００３６】
なお、本実施例のスピーカ装置１０においては、スピーカ装置１０を例えばエンクロージャースピーカ取付位置に固定するために、図２に示されるように、フレーム３０の外周縁に、固定部として４箇所のねじ挿入切り欠き３２が設けられている。フレーム３０に対するダンパホルダ４０の固定箇所（４２ａ）が５箇所であるのに対して、フレーム３０をスピーカ取付位置に固定するための固定部の数を４箇所としているのは、ダンパホルダ４０とフレーム３０との共振をしづらくして、音質の向上を図ることが目的である。
【００３７】
なお、本発明のスピーカ装置１０は、上記実施例に限定されるものでなく、適宜な変形、改良等が可能である。例えば、上記実施例においては、コーン形のスピーカ装置について説明したが、ドーム形のスピーカ装置にも同様に適用できる。
【産業上の利用可能性】
【００３８】
この発明は、家庭用や車載用として用いられるスピーカ装置に適用されて有用なものであり、特に、プレート、マグネット及びヨークを含む磁気回路部と、磁気回路部の磁気ギャップに配置されたボイスコイルと、ボイスコイルに結合された状態で振動可能な振動板と、振動板とフレームとの間に設けられフレームに対して振動板を振動可能に支持するダンパとを有するスピーカ装置に適用されて好適なものである。
【図面の簡単な説明】
【００３９】
【図１】実施例のスピーカ装置の横断面図である。
【図２】実施例のスピーカ装置の裏面図である。
【図３】実施例のダンパホルダの横断面図である。
【図４】実施例のダンパホルダの裏面図である。
【図５】実施例のダンパホルダの断面部分を拡大して示す図である。
【符号の説明】
【００４０】
１０  スピーカ装置
１１  マグネット
１２  トッププレート（プレート）
１３  ヨーク
１４  センターポール
１５  磁気回路部
１７  コーン型振動板（振動板）
１８  ダンパ
２０  ボイスコイル
２１  ボビン
２２  巻線
３０  フレーム
３１  フレームの底面
３２  ねじ挿入切り欠き（固定部）
４０  ダンパホルダ
４１  磁気回路固定部
４１ａ  ねじ穴
４１ｃ  磁気回路固定面
４１ｄ  接着剤逃がし溝
４２  フレーム固定部（腕部）
４２ａ  ねじ穴
４３  ダンパ支持部
４４  スカート部
４７，４８，４９  固定ねじ
Ａ  磁束
ｇ  磁気ギャップ
【図１】
2007088911.tif 000003
【図２】
2007088911.tif 000004
【図３】
2007088911.tif 000005
【図４】
2007088911.tif 000006
【図５】
2007088911.tif 000007